Podtech/llm-jp-corpus-v4-ja_patent huggingface dataset:
【手続補正書】
【提出日】平成28年7月27日(2016.7.27)
【手続補正１】
【補正対象書類名】明細書
【補正対象項目名】００２６
【補正方法】変更
【補正の内容】
【００２６】
次に、図７を参照してリッジフィルタ１０１を構成する構造体３０１の詳細について説明する。
図７にリッジフィルタを構成する構造体の概略図を示す。
【手続補正２】
【補正対象書類名】明細書
【補正対象項目名】００２８
【補正方法】変更
【補正の内容】
【００２８】
なお、図７の構造体３０１の例では、段数は図示の都合上８段としているが、実際は深さ方向にもっと長くなっている。したがって、段数は８段に限定されず、リッジフィルタの求める性能に応じて適宜変更可能である。
【手続補正３】
【補正対象書類名】明細書
【補正対象項目名】００３０
【補正方法】変更
【補正の内容】
【００３０】
リッジフィルタ１０１の構造体３０１の材質は、ビームの散乱を抑えてエネルギーを吸収する必要があるため、アルミまたは銅などの金属やＡＢＳ（アクリロニトリル・ブタジエン・スチレン（Ａｃｒｙｌｏｎｉｔｒｉｌｅ  ｂｕｔａｄｉｅｎｅ  ｓｔｙｒｅｎｅ）樹脂）である。
【手続補正４】
【補正対象書類名】明細書
【補正対象項目名】００３２
【補正方法】変更
【補正の内容】
【００３２】
台座部３０３は、構造体３０１を削り出し加工の際に同時に削り出し加工によって一体形成によって作製するか、構造体３０１を削り出し加工によって作製した後に別途作製した台座部３０３を最上流面３０１Ａおよび最下流面３０１Ｂに対して取り付けることによって、構造体３０１に接触させる。台座部３０３および把持部材３０４の材質は、構造体３０１と同材質とすることが望ましい。
【手続補正５】
【補正対象書類名】明細書
【補正対象項目名】００４５
【補正方法】変更
【補正の内容】
【００４５】
加えて、本実施形態の構造体３０１の配置のメリットは、横方向に大きな標的に対しても一様な線量分布を形成できることである。
例えば、ビーム走査によりリッジフィルタ１０１へのビーム入射角が大きくなると、図６に示すような第１の実施形態の構造体３０１の配置では、リッジフィルタ１０１中でのビームの通過経路に偏りが生じる。より具体的には、図６に示すＡの領域では、ビームが構造体３０１の傾きに対し平行に通過する傾向となる。一方、図６のＢの領域では、ビームが垂直に通過する傾向となる。従って、スポット位置に依存してビームの飛程分散量が変化し、体積照射時に一様な線量分布が得られない可能性がある。
しかし図９に示すような本実施形態の構造体３０１の配置では、ビームの通過経路に偏りが生じにくいため、スポット位置に関わらずビームの飛程分散量はほぼ一定となり、一様な線量分布が得られる、との効果を奏することができる。
【手続補正６】
【補正対象書類名】明細書
【補正対象項目名】００５５
【補正方法】変更
【補正の内容】
【００５５】
ボーラス６０３とコリメータ６０２は標的２０１の形状に合わせて事前に加工され、図１０に示すように操作者などにより照射野形成装置１１０の先端部分に取り付けられる。ボーラス６０３はＡＢＳ樹脂等で形成され、深さ方向の標的２０１形状に合わせて場所ごとにビームの飛程を調整する。コリメータ６０２は横方向の標的２０１形状に合わせて適切な形にビームを遮蔽し、標的２０１の外側での被曝を低減する。
なお、本実施形態では通常のコリメータ６０２としたが、マルチリーフコリメータでも同様の効果が得られる。
【手続補正７】
【補正対象書類名】明細書
【補正対象項目名】００５９
【補正方法】変更
【補正の内容】
【００５９】
これら図１２に示す構造体３０６や図１３に示す構造体３０７も、繰り返し方向の中心線に対して左右非対称形状で、かつ繰り返し方向の中心線と深さ方向の中心線との交点Ｓに対して点対称形状となっている。また、構造体３０６または構造体３０７は、深さ方向の最上流面３０６Ａ，３０７Ａおよび最下流面３０６Ｂ，３０７Ｂの繰り返し方向の厚さが等しくなっている。更に、深さ方向において最上流面３０６Ａ，３０７Ａや最下流面３０６Ｂ，３０７Ｂと同じ厚さとなっており、繰り返し方向の厚さが厚い部分が存在しない構造となっている。
【手続補正書】
【提出日】平成28年10月13日(2016.10.13)
【手続補正１】
【補正対象書類名】明細書
【補正対象項目名】０００６
【補正方法】変更
【補正の内容】
【０００６】
前記課題を解決するために、本発明のネイルプリント装置は、
液状材料を収容する液状材料収容部を備え、前記液状材料によって描画対象面に描画を施す少なくとも一つの描画用具が装着される描画ヘッドと、
前記描画ヘッドに装着された前記描画用具の傾斜角度を変化させることにより前記液状材料収容部内の前記液状材料を攪拌する攪拌動作を行う撹拌部と、
を備えることを特徴としている。
【手続補正２】
【補正対象書類名】明細書
【補正対象項目名】０００７
【補正方法】変更
【補正の内容】
【０００７】
また、本発明のネイルプリント装置の印刷制御方法は、
描画対象面に描画を施すネイルプリント装置の印刷制御方法において、
液状材料を収容する液状材料収容部を備え、前記液状材料によって前記描画対象面に描画を施す少なくとも一つの描画用具を描画ヘッドに装着し、
前記描画ヘッドに装着された前記描画用具の傾斜角度を変化させることにより前記液状材料収容部内の前記液状材料を攪拌する撹拌動作を行い、
前記撹拌動作を実行した後に、前記描画ヘッドを介して、前記描画用具により前記描画対象面に描画を施すことを特徴としている。
【手続補正３】
【補正対象書類名】特許請求の範囲
【補正対象項目名】全文
【補正方法】変更
【補正の内容】
【特許請求の範囲】
【請求項１】
液状材料を収容する液状材料収容部を備え、前記液状材料によって描画対象面に描画を施す少なくとも一つの描画用具が装着される描画ヘッドと、
前記描画ヘッドに装着された前記描画用具の傾斜角度を変化させることにより前記液状材料収容部内の前記液状材料を攪拌する攪拌動作を行う撹拌部と、
を備えることを特徴とするネイルプリント装置。
【請求項２】
前記撹拌部は、前記描画ヘッドの前記傾斜角度を可変とする角度調整部を有し、
前記撹拌部は、前記角度調整部により、前記描画ヘッドの前記傾斜角度を変えることにより前記撹拌動作を行い、
前記角度調整部は、前記攪拌部が撹拌動作を行うときと、前記描画用具が前記描画を施すときとで、前記描画ヘッドの前記傾斜角度を異ならせることを特徴とする請求項１に記載のネイルプリント装置。
【請求項３】
前記描画用具の前記液状材料収容部は、一端部と該一端部と対向する他端部とを有し、
前記撹拌部は、前記撹拌動作を行うとき、前記角度調整部により、前記描画ヘッドを、前記液状材料収容部の前記一端部が前記他端部より低い位置となる第１の角度と、前記液状材料収容部の前記一端部が前記他端部より高い位置となる第２の角度と、に傾斜させることを特徴とする請求項２に記載のネイルプリント装置。
【請求項４】
前記撹拌部は、前記攪拌動作を行うとき、前記角度調整部により、前記描画ヘッドを前記第１の角度及び前記第２の角度に傾斜させる動作を複数回行うことを特徴とする請求項３に記載のネイルプリント装置。
【請求項５】
前記撹拌部は、前記描画用具により前記描画を開始する前に、前記撹拌動作を行うことを特徴とする請求項１から請求項４のいずれか一項に記載のネイルプリント装置。
【請求項６】
前記撹拌部は、更に、前記描画用具により前記描画が行われている間において、所定の時間が経過する毎に、前記描画の動作を中断させて、前記撹拌動作を行うことを特徴とする請求項１から請求項５のいずれか一項に記載のネイルプリント装置。
【請求項７】
前記描画用具は、軸部と該軸部の一端側に設けられた先端部とを有し、前記軸部内に前記液状材料収容部が設けられ、前記先端部が前記描画対象面に接触したときに該描画対象面に前記液状材料を塗布することにより前記描画を行う、筆記具であることを特徴とする請求項１から請求項６のいずれか一項に記載のネイルプリント装置。
【請求項８】
前記描画ヘッドは、複数の前記描画用具を保持可能な回転式のキャリッジを有し、前記キャリッジに保持されている前記複数の描画用具から前記描画に使用する１つの特定の描画用具を選択し、
前記角度調整部は、前記キャリッジを傾斜させることを特徴とする請求項２から請求項７のいずれか一項に記載のネイルプリント装置。
【請求項９】
前記液状材料は、粒径が２００〜４００nmの顔料、又は、粒径が１００〜２００μmのラメ、を含んでいるものであることを特徴とする請求項１から請求項８のいずれか一項に記載のネイルプリント装置。
【請求項１０】
前記描画対象面は、幅方向に沿って中央部が両端側より盛り上がった湾曲形状を有し、
前記角度調整部は、更に、前記描画を施す際に、前記描画ヘッドの角度を、前記爪の湾曲形状に対応した角度に調整することを特徴とする請求項２に記載のネイルプリント装置。
【請求項１１】
前記角度調整部は、前記描画ヘッドが前記爪の表面の前記幅方向の両端部側の領域に描画を施すときに前記角度を調整して、前記爪の表面の前記幅方向に対する前記描画ヘッドの角度を、前記描画ヘッドが前記爪の表面の幅方向の中央部に描画するときの前記描画ヘッドの、前記爪の表面の前記幅方向に対する角度に近づけることを特徴とする請求項１０に記載のネイルプリント装置。
【請求項１２】
描画対象面に描画を施すネイルプリント装置の印刷制御方法において、
液状材料を収容する液状材料収容部を備え、前記液状材料によって前記描画対象面に描画を施す少なくとも一つの描画用具を描画ヘッドに装着し、
前記描画ヘッドに装着された前記描画用具の傾斜角度を変化させることにより前記液状材料収容部内の前記液状材料を攪拌する撹拌動作を行い、
前記撹拌動作を実行した後に、前記描画ヘッドを介して、前記描画用具により前記描画対象面に描画を施すことを特徴とするネイルプリント装置の印刷制御方法。
【請求項１３】
前記撹拌動作は、前記描画ヘッドの前記傾斜角度を変えて前記描画用具の前記液状材料収容部内の前記液状材料を攪拌する角度調整動作を含み、
前記撹拌動作を行うときと、前記描画用具が前記描画を施すときとで、前記描画ヘッドの前記傾斜角度を異ならせることを特徴とする請求項１２に記載のネイルプリント装置の印刷制御方法。
【請求項１４】
前記描画用具の前記液状材料収容部は、一端部と該一端部と対向する他端部とを有し、
前記角度調整動作は、前記描画ヘッドを、前記液状材料収容部の前記一端部が前記他端部より低い位置となる第１の角度と、前記液状材料収容部の前記一端部が前記他端部より高い位置となる第２の角度と、に傾斜させる動作を含むことを特徴とする請求項１３に記載のネイルプリント装置の印刷制御方法。
【請求項１５】
前記描画用具により前記描画を施している間において所定の時間が経過する毎に、前記描画の動作を中断させて、前記撹拌動作を実行する動作を含むことを特徴とする請求項１２から請求項１４のいずれか一項に記載のネイルプリント装置の印刷制御方法。
【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
基板又は下地膜上に第１の電極を形成するステップと、
前記第１の電極上に電気機械変換膜を形成するステップと、
前記電気機械変換膜上に第２の電極を形成するステップと、
前記第２の電極の上面と前記電気機械変換膜及び前記第２の電極の側壁面とを保護するように第１の保護膜を形成するステップと、を含む電気機械変換素子の製造方法であって、
前記第１の保護膜のうち前記電気機械変換膜及び前記第２の電極の側壁面を保護している部分に第２の保護膜を選択的に形成するステップを、更に含むことを特徴とする電気機械変換素子の製造方法。
【請求項２】
請求項１の電気機械変換素子の製造方法において、
前記第２の保護膜を層間膜として形成することを特徴とする電気機械変換素子の製造方法。
【請求項３】
請求項１又は２の電気機械変換素子の製造方法において、
前記第２の保護膜はＳｉＯ２からなる膜であることを特徴とする電気機械変換素子の製造方法。
【請求項４】
請求項１乃至３のいずれかの電気機械変換素子の製造方法において、
前記第２の保護膜の膜厚は１０［ｎｍ］以上及び５００［ｎｍ］以下であることを特徴とする電気機械変換素子の製造方法。
【請求項５】
請求項１乃至４のいずれかの電気機械変換素子の製造方法において、
前記第１の保護膜をＡＬＤ（原子層堆積）法により形成することを特徴とする電気機械変換素子の製造方法。
【請求項６】
請求項１乃至５のいずれかの電気機械変換素子の製造方法において、
前記第１の保護膜はＡｌ２Ｏ３からなる膜であることを特徴とする電気機械変換素子の製造方法。
【請求項７】
請求項１乃至６のいずれかの電気機械変換素子の製造方法において、
前記第１の保護膜の膜厚は３０［ｎｍ］以上及び８０［ｎｍ］以下であることを特徴とする電気機械変換素子の製造方法。
【請求項８】
請求項１乃至７のいずれかの電気機械変換素子の製造方法において、
前記基板又は前記下地膜の表面と前記第２の保護膜の外側面とのなす角度が、該基板又は該下地膜の表面と前記電気機械変換膜の側面とのなす角度よりも小さいことを特徴とする電気機械変換素子の製造方法。
【請求項９】
基板又は下地膜上の第１の電極と、
前記第１の電極上の電気機械変換膜と、
前記電気機械変換膜上の第２の電極と、
前記第２の電極の上面と側壁面及び前記電気機械変換膜の上面と側壁面を覆う第１の保護膜と、を備えた電気機械変換素子であって、
前記第１の保護膜のうち、
前記電気機械変換膜の側壁面を覆っている部分の上には第２の保護膜が設けられており、
前記電気機械変換膜の上面と前記第２の電極の上面を覆っている部分の上には第２の保護膜は設けられていない、ことを特徴とする電気機械変換素子。
【請求項１０】
液滴を吐出するノズルと、該ノズルが連通する加圧室と、該加圧室内の液体に圧力を発生させる圧力発生手段とを備えた液滴吐出ヘッドにおいて、
前記圧力発生手段は、前記加圧室の壁の一部を構成する振動板と、該振動板上に設けられた請求項９の電気機械変換素子と、を備えることを特徴とする液滴吐出ヘッド。
【請求項１１】
請求項１０の液滴吐出ヘッドにおいて、
前記振動板の上に配置された前記電気機械変換素子を構成する電気機械変換膜が、前記加圧室を形成する壁の位置よりも内側になるように配置されていることを特徴とする液滴吐出ヘッド。
【請求項１２】
インク滴吐出装置として請求項１０又は１１の液滴吐出ヘッドを備える画像形成装置。
【手続補正書】
【提出日】平成28年5月19日(2016.5.19)
【手続補正１】
【補正対象書類名】明細書
【補正対象項目名】００５２
【補正方法】変更
【補正の内容】
【００５２】
ただし、取り付ける領域も限られているため、防振機構６の寸法が限られる。寸法が限られることによって、錘１１の寸法が制限されるが、錘１１の材質を鉄系材料の約２倍の密度を有するタングステン合金等を用いれば、十分に錘の重さを確保できる。例えば、直径１２００ｍｍのディスクカッタ９の場合、刃先部分に錘１１を取り付ける場合における位置は、回転軸より５３０ｍｍ離れた位置で、円柱状の錘１１の寸法は直径５０ｍｍ、厚さ２０ｍｍ、材質がタングステン合金、質量約７３０ｇとなり、ディスクカッタ９の振動を抑制するためには十分な質量を確保することができる。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
リールと、
始動手段と、
前記始動手段の操作に基づいて前記リールの回転を開始させるリール制御手段と、
役の抽選を行う第一抽選手段と、
乱数発生手段と、
前記乱数発生手段から乱数値を取得して抽選を行う第二抽選手段と、
演出の実行を制御する演出制御手段と、
前記第一抽選手段による役の抽選結果を示すコマンド及び前記第二抽選手段による抽選結果を示すコマンドを含むコマンドを前記演出制御手段に送信するコマンド送信手段と、を有し、
前記始動手段が操作されると、
前記第一抽選手段は役を抽選して役の抽選結果を示すコマンドを設定し、
前記第二抽選手段は前記抽選を行って抽選結果を示すコマンドを設定し、
前記コマンド送信手段は設定されたコマンドを前記演出制御手段に送信し、
前記第二抽選手段は、所定の契機に基づいて抽選を実行可能とし、前記乱数発生手段から一の乱数値を取得してから次の乱数値を取得するまでに、少なくとも所定の時間間隔を有するように構成され、
前記リール制御手段は、設定されている送信待ちの前記コマンドが全て前記演出制御手段に送信された後、前記リールの回転を開始可能に構成されていることを特徴とする遊技機。
【請求項２】
リールと、
始動手段と、
前記始動手段の操作に基づいて前記リールの回転を開始させるリール制御手段と、
役の抽選を行う第一抽選手段と、
乱数発生手段と、
前記乱数発生手段から乱数値を取得して抽選を行う第二抽選手段と、
演出の実行を制御する演出制御手段と、
前記第一抽選手段による役の抽選結果を示すコマンド及び前記第二抽選手段による抽選結果を示すコマンドを含むコマンドを前記演出制御手段に送信するコマンド送信手段と、を有し、
前記始動手段が操作されると、
前記第一抽選手段は役を抽選して役の抽選結果を示すコマンドを設定し、
前記第二抽選手段は前記抽選を行って抽選結果を示すコマンドを設定し、
前記コマンド送信手段は設定されたコマンドを前記演出制御手段に送信し、
前記第二抽選手段は、所定の契機に基づいて抽選を実行可能とし、前記乱数発生手段から一の乱数値を取得してから次の乱数値を取得するまでに、少なくとも所定の時間間隔を有するように構成され、
前記リール制御手段は、前記抽選を実行すると前記コマンドを送信するための特定の時間が経過したときに前記リールの回転を開始可能に構成されていることを特徴とする遊技機。
【手続補正２】
【補正対象書類名】明細書
【補正対象項目名】０００６
【補正方法】変更
【補正の内容】
【０００６】
前記課題を解決するために、第１の本発明に係る遊技機は、リールと、始動手段と、前記始動手段の操作に基づいて前記リールの回転を開始させるリール制御手段と、役の抽選を行う第一抽選手段と、乱数発生手段と、前記乱数発生手段から乱数値を取得して抽選を行う第二抽選手段と、演出の実行を制御する演出制御手段と、前記第一抽選手段による抽選結果を示すコマンド及び前記第二抽選手段による抽選結果を示すコマンドを含むコマンドを前記演出制御手段に送信するコマンド送信手段と、を有し、前記始動手段が操作されると、前記第一抽選手段は役を抽選して役の抽選結果を示すコマンドを設定し、前記第二抽選手段は前記抽選を行って抽選結果を示すコマンドを設定し、前記コマンド送信手段は設定されたコマンドを前記演出制御手段に送信し、前記第二抽選手段は、所定の契機に基づいて抽選を実行可能とし、前記乱数発生手段から一の乱数値を取得してから次の乱数値を取得するまでに、少なくとも所定の時間間隔を有するように構成され、前記リール制御手段は、設定されている送信待ちの前記コマンドが全て前記演出制御手段に送信された後、前記リールの回転を開始可能に構成されていることを特徴とする。
【手続補正３】
【補正対象書類名】明細書
【補正対象項目名】０００７
【補正方法】変更
【補正の内容】
【０００７】
また、第２の本発明に係る遊技機は、リールと、始動手段と、前記始動手段の操作に基づいて前記リールの回転を開始させるリール制御手段と、役の抽選を行う第一抽選手段と、乱数発生手段と、前記乱数発生手段から乱数値を取得して抽選を行う第二抽選手段と、演出の実行を制御する演出制御手段と、前記第一抽選手段による役の抽選結果を示すコマンド及び前記第二抽選手段による抽選結果を示すコマンドを含むコマンドを前記演出制御手段に送信するコマンド送信手段と、を有し、前記始動手段が操作されると、前記第一抽選手段は役を抽選して役の抽選結果を示すコマンドを設定し、前記第二抽選手段は前記抽選を行って抽選結果を示すコマンドを設定し、前記コマンド送信手段は設定されたコマンドを前記演出制御手段に送信し、前記第二抽選手段は、所定の契機に基づいて抽選を実行可能とし、前記乱数発生手段から一の乱数値を取得してから次の乱数値を取得するまでに、少なくとも所定の時間間隔を有するように構成され、前記リール制御手段は、前記抽選を実行すると前記コマンドを送信するための特定の時間が経過したときに前記リールの回転を開始可能に構成されていることを特徴とする。
【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
一のプレイヤからの課金アイテムの消費を伴う抽選要求に基づき、レアリティが設定されたモンスターを出現させ、当該モンスターを倒すためのクエストを実行可能とする手段と、
前記一のプレイヤからの前記クエストの実行要求に基づき、当該一のプレイヤをホストプレイヤとし、他のプレイヤをゲストプレイヤとして、当該クエストを実行する手段と、
前記出現したモンスターに対応するゲームアイテムを前記一のプレイヤに取得させる手段と、
前記クエストにおいて前記出現したモンスターが倒された場合、前記ゲストプレイヤに対して、前記出現したモンスターに対応するゲームアイテムに関連付けされた素材アイテムを付与する手段と、
を備える情報処理装置。
【請求項２】
コンピュータを、
一のプレイヤからの課金アイテムの消費を伴う抽選要求に基づき、レアリティが設定されたモンスターを出現させ、当該モンスターを倒すためのクエストを実行可能とする手段、
前記一のプレイヤからの前記クエストの実行要求に基づき、当該一のプレイヤをホストプレイヤとし、他のプレイヤをゲストプレイヤとして、当該クエストを実行する手段、
前記出現したモンスターに対応するゲームアイテムを前記一のプレイヤに取得させる手段、
前記クエストにおいて前記出現したモンスターが倒された場合、前記ゲストプレイヤに対して、前記出現したモンスターに対応するゲームアイテムに関連付けされた素材アイテムを付与する手段、
として機能させるためのプログラム。
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
車両に持ち込まれる可搬型端末装置（５０）が、当該車両に持ち込まれているか否かを判断する持込判断手段（１５，２１）と、
前記可搬型端末装置が前記車両に持ち込まれていると前記持込判断手段が判断したとき、当該可搬型端末装置における処理のうち、未実行で保留されている保留処理があるか否かを判断する保留処理判断手段（１５，１７，Ｓ７，Ｓ１２）と、
前記保留処理があると前記保留処理判断手段が判断したとき、前記車両内で前記可搬型端末装置による前記保留処理の実行を可能にする保留処理制御手段（１９，Ｓ１２，Ｓ１３）と、
前記車両の走行状態を取得する走行状態取得手段（１６，２２，２４，２９，Ｓ９）と、
前記走行状態取得手段が取得した走行状態が継続される継続時間を取得する継続時間取得手段（１６，２２，Ｓ９）と、
前記保留処理の実行に要する所要時間を取得する所要時間取得手段（１５）と、
を備え、
前記保留処理制御手段は、前記保留処理があると前記保留処理判断手段が判断したとき、前記走行状態取得手段が取得した走行状態に対して許容される前記保留処理の実行を、前記継続時間取得手段が取得した継続時間よりも前記所要時間取得手段が取得した所要時間の方が短い場合に、可能にすることを特徴とする車両用制御装置。
【請求項２】
前記車両のドライバの能力を取得する能力取得手段（１１，２８）を、
更に備え、
前記保留処理制御手段は、前記保留処理があると前記保留処理判断手段が判断したとき、前記走行状態取得手段が取得した走行状態と前記能力取得手段が取得したドライバの能力とに対して許容される前記保留処理の実行を可能にすることを特徴とする請求項１に記載の車両用制御装置。
【請求項３】
前記保留処理制御手段は、前記能力取得手段が取得したドライバの能力に対して許容される負荷を表す第１の数値と、前記走行状態取得手段が取得した走行状態がドライバに強いる負荷を表す第２の数値と、前記保留処理の実行がドライバに強いる負荷を表す第３の数値とを比較し、前記走行状態がドライバに強いる負荷と前記保留処理の実行がドライバに強いる負荷との和が前記ドライバの能力に対して許容される負荷を超えない場合に、前記保留処理の実行を可能にすることを特徴とする請求項２に記載の車両用制御装置。
【請求項４】
前記車両における運転支援の状況を取得する支援状況取得手段（１７，Ｓ１２）を、
更に備え、
前記保留処理制御手段は、前記保留処理があると前記保留処理判断手段が判断したとき、前記走行状態取得手段が取得した走行状態と前記能力取得手段が取得したドライバの能力と前記支援状況取得手段が取得した前記運転支援の状況とに対して許容される前記保留処理の実行を可能にすることを特徴とする請求項２に記載の車両用制御装置。
【請求項５】
前記保留処理制御手段は、前記能力取得手段が取得したドライバの能力に対して許容される負荷を表す第１の数値と、前記支援状況取得手段が取得した運転支援の状況下で前記走行状態取得手段が取得した走行状態がドライバに強いる負荷を表す第４の数値と、前記保留処理の実行がドライバに強いる負荷を表す第３の数値とを比較し、前記走行状態がドライバに強いる負荷と前記保留処理の実行がドライバに強いる負荷との和が前記ドライバの能力に対して許容される負荷を超えない場合に、前記保留処理の実行を可能にすることを特徴とする請求項４に記載の車両用制御装置。
【請求項６】
前記保留処理が複数あると前記保留処理判断手段が判断し、当該複数の保留処理に優先度が設定されている場合、前記保留処理制御手段は、優先度の高い順に前記保留処理の実行を可能にすることを特徴とする請求項１〜５のいずれか１項に記載の車両用制御装置。
【請求項７】
前記保留処理制御手段は、前記可搬型端末装置に前記保留処理の実行を指示することによって、当該保留処理の実行を可能にすることを特徴とする請求項１〜６のいずれか１項に記載の車両用制御装置。
【請求項８】
前記保留処理に対して、前記車両内で実行されるべき処理であるか否かを設定する設定手段（２５，Ｓ２２２，Ｓ２２３）を、
更に備え、
前記保留処理があると前記保留処理判断手段が判断したとき、前記保留処理制御手段は、前記設定手段により前記実行されるべき処理であると設定された保留処理の実行を可能にすることを特徴とする請求項１〜７のいずれか１項に記載の車両用制御装置。
【請求項９】
前記車両におけるドライバ以外の乗員の有無を検出する乗員検出手段（２２１）を、
更に備え、
前記保留処理があると前記保留処理判断手段が判断したとき、前記保留処理制御手段は、前記乗員検出手段の検出結果に基づいて、前記車両内で前記保留処理の実行を可能にするか否かを制御することを特徴とする請求項１〜８のいずれか１項に記載の車両用制御装置。
【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
正面画面を含み、前記正面画面の部材上に複数の音響アクチュエータが配置されて、前記正面画面から音声出力を提供するように動作可能であり、かつ前記正面画面の材料から局在化した音声出力を提供するために、前記音響アクチュエータを一つだけ駆動するように動作可能であることを特徴とする携帯機器。
【請求項２】
前記機器は、前記正面画面の全体を振動するように配置された振動分布ラウドスピーカー（ＤＭＬ）を含むことを特徴とする請求項１に記載の携帯機器。
【請求項３】
前記機器は、主ウインドウ支持部を有する主カバーアセンブリを含むことを特徴とする請求項１または２記載の携帯機器。
【請求項４】
前記正面画面は、正面ウインドウを備え、
前記正面ウインドウは、ウインドウフレームを用いて動作可能に支持されることを特徴とする請求項１から３のいずれか１項に記載の携帯機器。
【請求項５】
前記機器は、正面ウインドウ支持部のために固定点を含むことを特徴とする請求項４に記載の携帯機器。
【請求項６】
前記機器は、前記正面ウインドウの下に軟性のＴＰＥカバーを含むことを特徴とする請求項４または５に記載の携帯機器。
【請求項７】
前記機器は、左右の側壁を含み、
前記左右の側壁は、内部空間と自由に懸垂された正面側とを分離することができる軟性の内部空間遮蔽リップを有することを特徴とする請求項１から６のいずれか１項に記載の携帯機器。
【請求項８】
前記機器は、内部の金属製支持機構を含むことを特徴とする請求項１から７のいずれか１項に記載の携帯機器。
【請求項９】
前記正面画面に取付けられるドライバは、ハプティックフィードバックを提供可能であることを特徴とする請求項１から８のいずれか１項に記載の携帯機器。
【請求項１０】
前記ドライバは、前記正面画面の一部から、局在化したハプティックフィードバックを生じさせることが可能であることを特徴とする請求項９に記載の携帯機器。
【請求項１１】
請求項１から１０のいずれか１項に記載の携帯機器を使用する方法であって、
前記正面画面と相補的な形状を有する物体の表面に対面させて前記機器を置き、
前記正面画面だけはなく、前記正面画面に表面が接している前記物体からも音声が放出されるように前記正面画面を駆動することを特徴とする携帯機器の使用方法。
【請求項１２】
請求項１から１０のいずれか１項に記載の携帯機器の正面画面から音声出力を提供する方法であって、
前記正面画面から音声出力を提供するステップを含むことを特徴とする音声出力の提供方法。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
２つのビュー間参照ピクチャのリストを用いてピクチャ中のブロックを復号するステップであって、前記ピクチャは、マルチビュービデオコンテンツに対応するピクチャのセットのうちの１つであり、そして同じまたは類似のシーンに対して異なるビューポイントを有しており、前記ピクチャは、前記異なるビューポイントのうちの現在のビューポイントを表している、前記ステップを含み、
前記２つのビュー間参照ピクチャのリストは、前記現在のビューポイント以外の前記異なるビューポイントのうちの少なくとも１つを有する参照ピクチャに対応し、ビュー間参照ピクチャの数および前記ビュー間参照ピクチャに対応するビュー識別子が前記２つのビュー間参照ピクチャのリストの各々のビットストリームに示されている、ビデオ復号方法。
【請求項２】
前記２つのビュー間参照ピクチャのリストは、国際標準化機構／国際電気標準会議動画専門グループ４パート１０の高度動画像圧縮符号化標準／国際電気通信連合の電気通信部門によるＨ．２６４の勧告のＬｉｓｔ０およびＬｉｓｔ１とは異なる、請求項１に記載の方法。
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
遊技領域内に遊技媒体を発射し得る発射手段と、
遊技に関する抽選を行う抽選手段と、
前記抽選手段の抽選結果に基づいて、遊技状態を通常状態と通常状態よりも有利な有利状態に制御する状態制御手段と、
前記抽選結果を報知する画像情報を表示可能な報知表示装置と、
前記報知表示手段よりも前面側に配置され所定の画像情報を表示可能な情報表示装置と、
前記情報表示手段を可動させ得る可動制御手段と、を備え、
前記可動制御手段は、前記情報表示手段を前記状態制御手段により制御される遊技状態に基づいた特定位置に可動させ且つ、所定条件が成立するまで当該特定位置に待機させ得ることを特徴とする遊技機。
【請求項２】
請求項１記載の遊技機において、音の出力にかかる制御を行う音出力制御手段をさらに備えることを特徴とする遊技機。
【請求項３】
請求項１または２に記載の遊技機において、発光にかかる制御を行う発光制御手段をさらに備えることを特徴とする遊技機。
【手続補正２】
【補正対象書類名】明細書
【補正対象項目名】０００６
【補正方法】変更
【補正の内容】
【０００６】
上記課題を解決するために本発明の遊技機は、請求項１においては、遊技領域内に遊技媒体を発射し得る発射手段と、遊技に関する抽選を行う抽選手段と、前記抽選手段の抽選結果に基づいて、遊技状態を通常状態と通常状態よりも有利な有利状態に制御する状態制御手段と、前記抽選結果を報知する画像情報を表示可能な報知表示装置と、前記報知表示手段よりも前面側に配置され所定の画像情報を表示可能な情報表示装置と、前記情報表示手段を可動させ得る可動制御手段と、を備え、前記可動制御手段は、前記情報表示手段を前記状態制御手段により制御される遊技状態に基づいた特定位置に可動させ且つ、所定条件が成立するまで当該特定位置に待機させ得ることを特徴とする。
また、請求項２においては、請求項１記載の遊技機において、音の出力にかかる制御を行う音出力制御手段をさらに備えることを特徴とする。
また、請求項３においては、請求項１または２に記載の遊技機において、発光にかかる制御を行う発光制御手段をさらに備えることを特徴とする。
【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
基材の幅全体をエッチングして、埋め込まれた表面構造を露出させる方法であって、
（ａ）基材の表面をその幅の全体にわたりエッチングして材料を実質的に均一に除去すること、
（ｂ）当該エッチング処理の間エッチングされる面に光を当てること、
（ｃ）当該面から反射又は散乱した光に端部検出技術を適用して、埋め込まれた表面構造の出現を検出すること、
（ｄ）当該埋め込まれた表面構造の検出に応じエッチングを修正すること、
を含むエッチング方法。
【請求項２】
前記エッチングされる面に光を鋭角に当てる、請求項１記載の方法。
【請求項３】
工程（ｃ）が、出力信号を生じさせるため前記反射又は散乱した光を捕らえるためのカメラと、当該カメラの出力信号から端部の出現を検出するための端部検出フィルタを用いることを含む、請求項１又は２記載の方法。
【請求項４】
前記カメラを鋭角に反射又は散乱した光を受けるための位置に配置する、請求項３記載の方法。
【請求項５】
前記端部検出フィルタがソーベルフィルタである、請求項３又は４記載の方法。
【請求項６】
エッチングを修正する前記工程がエッチングを停止させる工程である、請求項１〜５のいずれか一つに記載の方法。
【請求項７】
基材をその幅の全体にわたりエッチングして、埋め込まれた表面構造を露出させるためのエッチング装置であって、
（ａ）基材をエッチングするためのエッチング室、
（ｂ）エッチングしようとする面を露出させて前記基材を概して水平な位置に保持するための基材の支持体、
（ｃ）当該面に光を当てるため前記支持体に関して鋭角に取り付けた照射源、
（ｄ）当該面から鋭角で反射又は散乱された光を捕らえるためのカメラ、
（ｅ）当該面における少なくとも１つの端部の出現を検出するため前記カメラに連結された端部検出器、及び
（ｆ）前記エッチング室のエッチング作業を制御し且つ端部の検出に応じエッチングを停止させるための制御装置、
を含むエッチング装置。
【請求項８】
前記端部検出器がソーベルフィルタを含む、請求項７記載の装置。
【請求項９】
基材の幅全体をエッチングして、埋め込まれた表面構造の端部を露出させる方法であって、
（ａ）基材の表面をその幅の全体にわたりエッチングして材料を実質的に均一に除去すること、
（ｂ）前記エッチング処理の間エッチングされる面に光を当てること、
（ｃ）当該面から反射又は散乱した光により示される当該面の画像の不均一性を検出して、前記埋め込まれた表面構造の露出を検出すること、
（ｄ）前記埋め込まれた表面構造の検出に応じエッチングを修正すること、
を含むエッチング方法。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
ガイド付きスライドアセンブリであって、
少なくとも１つのスライドレールユニット（２）であるとともに、長手方向のベースプレート（２１１）と、このベースプレート（２１１）の２つの側辺から垂直に起立する一対のガイドプレート（２１２）と、前記ガイドプレート（２１２）の一方に形成された少なくとも１つの固定部（２１６）と、を有した第１スライドレール（２１）を備えており、さらに、それぞれの前記ガイドプレート（２１２）は、前記ガイドプレート（２１２）に沿って回転する複数のボール（２３）に接触すると共に該複数のボール（２３）を覆っていて、前記固定部（２１６）は前記一方の前記ガイドプレート（２１２)にプレス加工によって形成されたスリットフックである、少なくとも１つのスライドレールユニット（２）と：
前記一方のガイドプレート（２１２）に対して着脱可能に配置される少なくとも１つのガイドユニット（４）であるとともに、長手方向のラック部材（４１）と、このラック部材（４１）上に配置された少なくとも１つの係合フック（４２）と、を備えており、さらに、前記係合フック（４２）が、前記一方のガイドプレート（２１２）上の前記固定部（２１６）に対して係合し、前記ラック部材（４１）は、長手方向の歯付き部分（４１３)と、開口（４１７)とが形成され、前記歯付き部分（４１３)は、長手方向に互いに離間した複数の歯（４１４)を有し、それぞれの前記歯（４１４）が頂部と根部を有し、前記開口（４１７）は隣接する２つの前記歯（４１４）の前記根部の間に延伸していて、前記係合フック（４２）は、該隣接する２つの前記歯（４１４）の一方の前記根部から前記頂部とは逆向きに突出しており、さらに、前記開口（４１７）に対して隣接すると共に前記根部と離間するバーブ表面（４２１）を有する、少なくとも１つのガイドユニット（４）と；
を具備し、
前記長手方向のラック部材（４１）が、さらに、互いに離間した２つの長手方向保持壁（４１１、４１２）と、長手方向凹所（４１９）と、少なくとも２つの側部保持部材（４４）とを備え、前記歯付き部分（４１３)が前記保持壁（４１１、４１２）を架橋し、前記長手方向凹所（４１９）が、前記保持壁（４１１、４１２）と、前記歯（４１４）の前記頂部と反対する前記歯付き部分（４１３)の裏面と、によって規定されており、前記係合フック（４２）が前記長手方向凹所（４１９）に延伸しており、前記側部保持部材（４４）がそれぞれ前記係合フック（４２）の両側面上に設置されていることを特徴とするガイド付きスライドアセンブリ。
【請求項２】
請求項１記載のガイド付きスライドアセンブリにおいて、
前記歯付き部分（４１３）が、さらに、少なくとも１つの当接部材（４３）を備え、前記当接部材（４３）が前記係合フック（４２）から離間して配置されているとともに、前記係合フック（４２）の開口端に対向していることを特徴とするガイド付きスライドアセンブリ。
【請求項３】
請求項１記載のガイド付きスライドアセンブリにおいて、
前記ガイドユニット（４）が、さらに、前記ラック部材（４１）の一端部に配置されたスロット付き部分（４５）を備えていることを特徴とするガイド付きスライドアセンブリ。
【請求項４】
ガイド付きスライドアセンブリであって、
少なくとも１つのスライドレールユニット（２）であるとともに、長手方向のベースプレート（２１１）と、このベースプレート（２１１）の２つの側辺から垂直に起立する一対のガイドプレート（２１２）と、前記ガイドプレート（２１２）の一方に形成された少なくとも１つの固定部（２１６）と、を有した第１スライドレール（２１）を備えており、さらに、それぞれの前記ガイドプレート（２１２）は前記ガイドプレート（２１２）に沿って回転する複数のボール（２３）に接触すると共に該複数のボール（２３）を覆っていて、前記固定部（２１６）は前記ガイドプレート（２１２)にプレス加工によって形成されたスリットフックである、少なくとも１つのスライドレールユニット（２）と：
前記一方のガイドプレート（２１２）に対して着脱可能に配置される少なくとも１つのガイドユニット（４）であるとともに、長手方向のラック部材（４１）と、このラック部材（４１）上に配置された少なくとも１つの係合フック（４２）と、を備えており、さらに、前記係合フック（４２）が、前記一方のガイドプレート（２１２）上の前記固定部（２１６）に対して係合し、前記ラック部材（４１）は、長手方向の歯付き部分（４１３)と、開口（４１７)とが形成され、前記歯付き部分（４１３)は、長手方向に互いに離間した複数の歯（４１４)を有し、それぞれの前記歯（４１４）が頂部と根部を有し、前記開口（４１７）は隣接する２つの前記歯（４１４）の前記根部の間に延伸していて、前記係合フック（４２）は、該隣接する２つの前記歯（４１４）の一方の前記根部から前記頂部とは逆向きに突出しており、さらに、前記開口（４１７）に対して隣接すると共に前記根部と離間するバーブ表面（４２１）を有する、少なくとも１つのガイドユニット（４）と；
前記ラック部材（４１）に形成され、それぞれ前記係合フック（４２）の両側面上に延在している少なくとも２つの側部保持部材（４４）と；
を具備していることを特徴とするガイド付きスライドアセンブリ。
【請求項５】
請求項４記載のガイド付きスライドアセンブリにおいて、
前記歯付き部分（４１３)が、さらに、少なくとも１つの当接部材（４３）を備え、前記当接部材（４３）が前記係合フック（４２）から離間して配置されているとともに、前記係合フック（４２）の開口端に対向していることを特徴とするガイド付きスライドアセンブリ。
【請求項６】
請求項４記載のガイド付きスライドアセンブリにおいて、
前記ガイドユニット（４）が、さらに、前記ラック部材（４１）の一端部に配置されたスロット付き部分（４５）を備えていることを特徴とするガイド付きスライドアセンブリ。
【手続補正２】
【補正対象書類名】明細書
【補正対象項目名】０００５
【補正方法】変更
【補正の内容】
【０００５】
【特許文献１】台湾実用新案広告第４９１０５６号明細書
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
シリンダとピストンとの間に形成される燃焼室と、
前記燃焼室に気体燃料を噴射する気体燃料噴射弁であって、前記燃焼室に液体燃料を噴射する液体燃料噴射弁と別に設けられた第１の弁と、
前記気体燃料の供給部と前記第１の弁との間に設けられて、前記第１の弁に前記気体燃料を供給し、かつ前記燃焼室に前記気体燃料を供給する際において、前記第１の弁を開弁した後に開弁する第２の弁と、
を含む気体燃料供給システム。
【請求項２】
前記第１の弁が閉弁した後に、前記第２の弁が閉弁する
請求項１に記載の気体燃料供給システム。
【請求項３】
前記第１の弁が開弁する前であって、前記点火装置により前記気体燃料が点火される前に、さらに前記第１の弁が開弁する
請求項１又は請求項２に記載の気体燃料供給システム。
【請求項４】
シリンダとピストンとの間に形成される燃焼室と、
前記燃焼室に気体燃料を噴射する気体燃料噴射弁であって、前記燃焼室に液体燃料を噴射する液体燃料噴射弁と別に設けられた第１の弁と、
前記気体燃料の供給部と前記第１の弁との間に設けられて、前記第１の弁に前記気体燃料を供給する第２の弁と、を含む気体燃料システムの制御装置であって、
前記燃焼室に前記気体燃料を供給する際において、前記第１の弁を開弁した後に、前記第２の弁を開弁させる、
気体燃料供給システムの制御装置。
【請求項５】
前記制御装置は、
前記第１の弁を閉弁させた後に、前記第２の弁を閉弁させる
請求項４に記載の気体燃料供給システムの制御装置。
【請求項６】
前記制御装置は、
前記第１の弁を開弁させる前であって、前記点火装置により前記気体燃料を点火する前に、さらに前記第１の弁を開弁させる
請求項４又は請求項５に記載の気体燃料供給システムの制御装置。
【請求項７】
請求項１から請求項３に記載の気体燃料供給システムを有する、
エンジン。
【請求項８】
前記エンジンは２ストロークエンジンである、請求項７に記載のエンジン。
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
リン元素を０．２０重量％以上含有する難燃性ポリエステル系樹脂の回収組成物を含有するポリエステルフィルムであり、当該フィルム中に、リン元素を０．２０重量％以上、白色顔料を１．２重量％以上含有することを特徴とする白色難燃性ポリエステルフィルム。
【請求項２】
下記式（１）で表されるリン含有化合物を含有する請求項１に記載の白色難燃性ポリエステルフィルム。
【化１】
2015127376.tif 000001
【請求項３】
極限粘度が０．４５ｄｌ／ｇ以上である請求項１または２に記載の白色難燃性ポリエステルフィルム。
【手続補正２】
【補正対象書類名】明細書
【補正対象項目名】００１１
【補正方法】変更
【補正の内容】
【００１１】
すなわち、本発明の要旨は、リン元素を０．２０重量％以上含有する難燃性ポリエステル系樹脂の回収組成物を含有するポリエステルフィルムであり、当該フィルム中に、リン元素を０．２０重量％以上、白色顔料を１．２重量％以上含有することを特徴とする白色難燃性ポリエステルフィルムに存する。
【手続補正書】
【提出日】平成28年1月19日(2016.1.19)
【手続補正１】
【補正対象書類名】特許請求の範囲
【補正対象項目名】請求項１
【補正方法】変更
【補正の内容】
【請求項１】
シフトレバーがロックされるには、サイドブレーキをかけ、指で操作するスイッチ（So）でロック操作して、ソレノイドのプランジャ（２）を突出させ、シフトレバーがロック解除されるには、サイドブレーキを外し、指で操作するスイッチ（So）でロック解除操作を行って、ソレノイドのプランジャ（２）を格納させる、電気回路。
【手続補正書】
【提出日】平成28年3月3日(2016.3.3)
【手続補正１】
【補正対象書類名】明細書
【補正対象項目名】００１２
【補正方法】変更
【補正の内容】
【００１２】
本発明は、シート搬送装置において、シート搬送方向に搬送されるシートが通過する、湾曲したシート搬送路と、シート搬送路内のシートを検知する検知ユニットと、を有し、前記検知ユニットは、前記シート搬送路へ向かう光を発する発光面と、前記シート搬送路のシートによって反射された反射光を受ける受光面と、を備え、前記発光面と前記受光面とは、前記シート搬送方向と直交する幅方向に並んでいて、前記受光面が受ける前記反射光の前記シート搬送方向における長さは、前記シート搬送方向に直交し且つ反射光が進む進行方向に直交する直交方向での長さよりも長いことを特徴とするものである。
【手続補正２】
【補正対象書類名】特許請求の範囲
【補正対象項目名】全文
【補正方法】変更
【補正の内容】
【特許請求の範囲】
【請求項１】
シート搬送方向に搬送されるシートが通過する、湾曲したシート搬送路と、
シート搬送路内のシートを検知する検知ユニットと、を有し、
前記検知ユニットは、
前記シート搬送路へ向かう光を発する発光面と、
前記シート搬送路のシートによって反射された反射光を受ける受光面と、を備え、
前記発光面と前記受光面とは、前記シート搬送方向と直交する幅方向に並んでいて、前記受光面が受ける前記反射光の前記シート搬送方向における長さは、前記シート搬送方向に直交し且つ反射光が進む進行方向に直交する直交方向での長さよりも長いことを特徴とするシート搬送装置。
【請求項２】
前記検知ユニットは、
光源と、
前記光源と前記シート搬送路との間に配置され、前記光源から前記シート搬送路へ向かう光が通過する、前記発光面を備えたレンズであって、前記シート搬送方向に長い楕円形状のレンズと、を有することを特徴とする請求項１記載のシート搬送装置。
【請求項３】
前記検知ユニットは、
光源と、
前記光源と前記シート搬送路との間に配置され、前記光源から前記シート搬送路へ向かう光が通過する、シート搬送方向に並んだ複数のレンズと、を有することを特徴とする請求項１記載のシート搬送装置。
【請求項４】
前記検知ユニットは、
受光素子と、
前記シート搬送路と前記受光素子との間に配置され、前記シート搬送路のシートから前記受光素子へ向かう反射光が通過する、前記受光面を備えた受光レンズと、を有することを特徴とする請求項１乃至３の何れか１項に記載のシート搬送装置。
【請求項５】
前記受光素子に向かう前記反射光の進行方向と直交する断面における、前記受光レンズの断面形状が、前記シート搬送方向の長さが前記シート搬送方向と直交する方向の長さよりも長い楕円であることを特徴とする請求項４に記載のシート搬送装置。
【請求項６】
シート搬送方向に搬送されるシートが通過するシート搬送路と、
前記シート搬送路内のシートを検知する検知ユニットと、を有し、
前記検知ユニットは、
光源と、
前記光源と前記シート搬送路との間に配置され、前記光源から前記シート搬送路へ向かう光が通過する第１レンズと、
受光素子と、
前記シート搬送路と前記受光素子との間に配置され、前記シート搬送路のシートから前記受光素子へ向かう反射光が通過する、受光面を備えた第２レンズと、を備え、
前記受光素子に向かう前記反射光の進行方向と直交する断面において、前記第２レンズは、前記シート搬送方向の長さが前記搬送方向と直交する方向の長さよりも長いことを特徴とするシート搬送装置。
【請求項７】
前記受光素子に向かう前記反射光の進行方向と直交する断面における、前記第２レンズの断面形状が、前記シート搬送方向の長さが前記シート搬送方向と直交する方向の長さよりも長い楕円であることを特徴とする請求項６に記載のシート搬送装置。
【請求項８】
前記光源から前記シート搬送路に向かう光の進行方向と直交する断面において、前記第１レンズは、前記シート搬送方向の長さが前記搬送方向と直交する方向の長さよりも長いことを特徴とする請求項６又は７に記載のシート搬送装置。
【請求項９】
前記光源から前記シート搬送路に向かう光の進行方向と直交する断面における、前記第１レンズの断面形状が、前記シート搬送方向の長さが前記シート搬送方向と直交する方向の長さよりも長い楕円であることを特徴とする請求項６乃至８のいずれか１項に記載のシート搬送装置。
【請求項１０】
前記シート搬送路は湾曲していることを特徴とする請求項６乃至９のいずれか１項に記載のシート搬送装置。
【請求項１１】
前記第１レンズと前記第２レンズとは、前記シート搬送方向と直交する幅方向に並んでいることを特徴とする請求項６乃至１０のいずれか１項に記載のシート搬送装置。
【請求項１２】
前記検知ユニットは、前記シート搬送路のシートに対して、前記シート搬送方向と直交する幅方向で斜めに光をあてることを特徴とする請求項１乃至１１のいずれか１項に記載のシート搬送装置。
【請求項１３】
請求項１乃至１２のいずれか１項に記載のシート搬送装置と、前記シート搬送装置によって搬送されるシートに画像を形成する画像形成部と、を有することを特徴とする画像形成装置。
【請求項１４】
請求項１乃至１２のいずれか１項に記載のシート搬送装置と、前記シート搬送装置によって搬送されるシートの画像を読み取る画像読取部と、を備えたことを特徴とする画像読取装置。
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
カバーガラスを含む撮像素子と、
被写体側の第１面に平面を有し撮像側の第２面に非球面の凸面を有してなり、光軸に対して垂直方向の断面がＵ字状又はコの字状に形成された単一レンズと、を有し、
前記単一レンズの撮像側端面と前記カバーガラスの前記単一レンズ側の端面とが接着固定されている、
内視鏡カメラ。
【請求項２】
前記単一レンズと前記撮像素子との間に空気層が形成される、請求項１に記載の内視鏡カメラ。
【請求項３】
前記単一レンズは、肉厚が０．３ｍｍ以下である、請求項２に記載の内視鏡カメラ。
【請求項４】
前記単一レンズは、ｄ線の屈折率ｎｄが１．６以下、Ｆ線とｄ線とＣ線から求められるアッベ数νｄが５５以上である、請求項３に記載の内視鏡カメラ。
【請求項５】
前記単一レンズの第１面に防水ガラスが接着固定され、前記防水ガラスは、前記単一レンズ側の面に絞りが配置されている、請求項２から４のうちいずれか一項に記載の内視鏡カメラ。
【手続補正２】
【補正対象書類名】明細書
【補正対象項目名】発明の名称
【補正方法】変更
【補正の内容】
【発明の名称】内視鏡カメラ
【手続補正３】
【補正対象書類名】明細書
【補正対象項目名】０００７
【補正方法】変更
【補正の内容】
【０００７】
本発明は、細径であっても低コストで必要とされる光学性能を十分得られる内視鏡カメラを提供することを目的とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、本発明は、カバーガラスを含む撮像素子と、被写体側の第１面に平面を有し撮像側の第２面に非球面の凸面を有してなり、光軸に対して垂直方向の断面がＵ字状又はコの字状に形成された単一レンズと、を有し、前記単一レンズの撮像側端面と前記カバーガラスの前記単一レンズ側の端面とが接着固定されている、内視鏡カメラを提供する。
【手続補正６】
【補正対象書類名】明細書
【補正対象項目名】００９６
【補正方法】変更
【補正の内容】
【００９６】
本発明は、細径であっても低コストで所望の光学性能を十分得られるという効果を有し、例えば手術等に用いる細径の内視鏡カメラ等として有用である。
【手続補正書】
【提出日】平成28年10月27日(2016.10.27)
【手続補正１】
【補正対象書類名】明細書
【補正対象項目名】００３９
【補正方法】変更
【補正の内容】
【００３９】
読み取った利用者ＩＤの成熟度が「Ｂ」であれば、読み取った利用者ＩＤと認証ＩＤとが一致した場合には、認証時の類似度に関わらず入力顔画像データを読み取った利用者ＩＤの登録顔画像データとして追加登録する。一方、読み取った利用者ＩＤと認証ＩＤとが不一致である場合には、認証時の類似度が所定の閾値（第２の登録閾値）未満である場合にのみ、入力顔画像データを読み取った利用者ＩＤの登録顔画像データとして追加登録する。ここで、認証時の類似度が低いケースは、入力顔画像データが最も類似する登録顔画像データは、別の利用者ＩＤに対応付けられているが、その類似の程度は低い場合に対応する。読み取った利用者ＩＤの成熟度が「Ｂ」の場合には、このような入力顔画像データも追加登録することとしている。なお、第２の登録閾値は、第１の登録閾値と同一であってもよい。本実施例１では、第２の登録閾値と第１の登録閾値とが同一であることとし、類似度がこの登録閾値を超える場合を類似度「高」、類似度が登録閾値以下である場合を類似度「低」とする。